(57)【特許請求の範囲】
【請求項１】
第１の端部においてアンカー室（１１７）に合流する貫通したアンカー孔部（１１５）を備えるヨーク（１１０）と、
第１の長手端部および第２の長手端部を有し、当該第２の長手端部に向いた側であって前記アンカー室（１１７）とは反対の側の領域に１つのディスク（１５２）を支持するアンカーロッド（１５０）と、
アンカー（１４０）と、を備える電磁石であって、
前記アンカーロッド（１５０）は、前記アンカー孔部（１１５）を通って延在し、その第１の長手端部が前記アンカー室（１１７）に突き出ており、
前記アンカー（１４０）は、前記アンカーロッド（１５０）の第１の長手端部において当該アンカーロッド（１５０）にかしめ結合によって接続されると共に、
前記ヨーク（１１０）には、前記アンカー孔部（１１５）の第１の端部に対向する第２の端部において凹部（１１９）が形成されており、当該凹部にディスク（１５２）を埋設することができ、前記凹部（１１９）が内径を有し、前記ディスク（１５２）は外径を有し、前記内径と外径の比は、前記ディスク（１５２）の運動の際に液圧的減衰が生じるように構成され、
前記ディスク（１５２）と前記アンカーロッド（１５０）の第２の長手端部との間に、バネ弾性密閉エレメント（２００）が前記アンカーロッド（１５０）上に取り付けられており、前記バネ弾性密閉エレメント（２００）は、前記アンカーロッド（１５０）によって共に動かされ、前記ヨーク（１１０）内に形成された電磁弁（１０５）の出口開口部（１１４）を閉鎖および解放することができることを特徴とする、
電磁石。
【請求項２】
前記かしめ結合が、前記アンカーロッド（１５０）内に配置された切欠部（１５４）と、当該切欠部が収容される前記アンカー（１４０）のかしめ隆起部（１４４）との結合、又は前記アンカー（１４０）内に配置された切欠部と、当該切欠部が収容される前記アンカーロッド（１５０）のかしめ隆起部との結合、のいずれかの結合から構成されることを特徴とする、請求項１に記載の電磁石。
【請求項３】
前記切欠部が、前記アンカーロッド（１５０）の周囲溝で形成されることを特徴とする、請求項２に記載の電磁石。
【請求項４】
前記バネ弾性密閉エレメント（２００）が、蛇行バネとして構成されており、当該蛇行バネは、その半径方向外側領域に、前記出口開口部（１１４）と相互作用するシール部分を有することを特徴とする、請求項１〜３のいずれかに記載の電磁弁
【請求項５】
電磁弁の閉鎖位置において前記シール部分が前記出口開口部（１１４）を閉鎖し、前記バネ弾性密閉エレメント（２００）が、前記アンカー室（１１７）の方向に荷重を加えられる、ことを特徴とする、請求項４に記載の電磁弁。
【請求項６】
請求項１〜５のいずれか一項に記載の電磁弁の製造方法であり、前記電磁石は、第１の端部においてアンカー室に合流する貫通したアンカー孔部を備えるヨークを有し、前記電磁弁はさらに、第１の長手端部および第２の長手端部を備えるアンカーロッドを有し、当該アンカーロッドは、前記第２の長手端部に向いた領域にディスクを支持する製造方法であって、
前記アンカーロッドの第１の長手端部が、前記第１の端部に対向する第２の端部においてアンカー孔部の中へ、前記アンカーロッドの前記第１の長手端部がアンカー室に入るまで挿入され、次に前記アンカーが前記アンカーロッドの第１の長手端部に取り付けられ、アンカーとかしめられることを特徴とする製造方法。
【請求項７】
前記アンカーロッドは、かしめの前に組み立て装置に装着されるため、前記アンカーロッドの第２の長手端部が前記組み立て装置上に載置され、前記アンカー孔部からの脱落に対して保護されることを特徴とする、請求項６に記載の方法。
【請求項８】
前記かしめ結合が、液圧式プレス機により操作され、上方からアンカー（１４０）に当接し、下方に向けられた力をアンカー（１４０）に及ぼすための、かしめピストンを使用して実施されることを特徴とする、請求項６又は７に記載の方法。
【請求項９】
組み立て装置（３００）が圧縮バネ（３２０）と、前記アンカーロッド（１５０）を収容して保持するサポートエレメント（３２５）とを有して、アンカーロッド（１５０）をアンカー（１４０）に挿入してかしめ結合する際に、サポートエレメント（３２５）は圧縮バネ（３２０）の伸縮によってアンカーロッド（１５０）に及ぼされる力を調整することを特徴とする、請求項６〜８のいずれか一項に記載の方法で使用するための組み立て装置。
【請求項１０】
前記組み立て装置（３００）がさらに、前記圧縮バネ（３２０）を取り囲むブロック（３１０）を有し、当該ブロック上には、本方法の実施中に、ヨーク（１１０）を載置することを特徴とする、請求項９記載の組み立て装置。
【発明の詳細な説明】
【技術分野】
【０００１】
本発明は、ヨークと、アンカーロッドと、アンカーとを備える電磁石に関する。本発明はさらに、このような電磁石を備える電磁弁、このような電磁石の製造方法、および例えば前記のような方法において適用可能な組み立て装置に関する。
【背景技術】
【０００２】
業界標準の電磁石は、典型的には、アンカーがヨークの外側でアンカーロッドと接続され、次にこのアンカーロッドがアンカーと共に、ヨーク内に形成されたアンカー室の側からアンカー孔部を通して挿入されるようにして製造される。アンカー室とは反対の側に、さらなるエレメント、例えばディスク、バネ等を備え、その直径がアンカー孔部の直径よりも大きいアンカーロッドを機械的に安定して接続すべきであり、そのために従来技術では、例えば溶接（例えばレーザ溶接）が使用される。
【０００３】
この溶接は比較的面倒であり、複雑である。なぜなら、細工の施された構成部材を取り付け状態に保持しなければならず、そのためには高いコストをかけなければならないからである。アンカーロッドを、アンカー室の外側に配置されたエレメントとあらかじめ組み立て、外側からアンカー孔部に装着し、その後、装着されたアンカーロッドをアンカーと接続するという反対の措置は不可能である。なぜなら、アンカー室内の組み立てスペースを溶接のために使用できないからである。
【０００４】
ここでは、アンカー孔部ないしアンカー孔部に配置されたベアリングを通してアンカーロッドを案内するが、もちろんこの案内が熱的な結合によって損なわれてはならないことに注意すべきである。プロセス管理はこの周辺条件を制御するが、とりわけ溶接が、互いに接続すべき材料の選択を制限することは欠点である。
【発明の概要】
【発明が解決しようとする課題】
【０００５】
したがって本発明の課題は、この従来技術を改善することである。
【課題を解決するための手段】
【０００６】
この課題は本発明によれば、請求項１に記載の電磁石、請求項４に記載の電磁弁、請求項８に記載の方法、および請求項１２に記載の組み立て装置によって解決される。有利な実施形態は、例えばそれぞれの従属請求項に記載されている。
【０００７】
本発明は、電磁石に関するものであり、この電磁石は、
・第１の端部においてアンカー室に合流する貫通したアンカー孔部を備えるヨークと、
・第１の長手端部および第２の長手端部を有し、この第２の長手端部に向いた側であってアンカー室とは反対の側の領域に１つのディスクを支持するアンカーロッドと、
・アンカーと、を有し、
・アンカーロッドは、アンカー孔部を通って延在し、その第１の長手端部がアンカー室に突き出ており、
・アンカーは、アンカーロッドの第１の長手端部においてアンカーロッドにポジティブ結合、詳細にはかしめによって接続されている。
【０００８】
驚くべきことに、後処理無しでアンカーとアンカーロッドの構成群をアンカー孔部に、ないしアンカー孔部内に確実に案内できるようにかしめを実施できることが判明した。ここでかしめ工程は、アンカーロッドの変形が生じないように適切なやり方で実施される。
【０００９】
有利には、アンカーロッドを細工の施されたエレメント、例えばディスク等とあらかじめ組み立てることができ、このようにしてあらかじめ完成された構成群は、電磁石での組み立ての際に取り扱いを格段に容易にする。このことは、比較的高いプロセス確実性ないし組み立て確実性を随伴する。
【００１０】
ここではもはや溶接が行われないので、細工の施されたエレメントへの熱的ストレスも回避され、このことは構造を格段に容易にする。
【００１１】
本発明による提案は、非常に多様にも構成することができる。なぜなら、従来技術では必然的に設けなければならなかった、溶接すべきエレメントの材料均質性の周辺条件をもはや顧慮する必要がないからである。
【００１２】
したがって本発明による提案は、驚くべきことに、比較的高い組み立て確実性、すなわち低い製造コストと、さらに大きな構造的多様性とが結びついている。
【００１３】
本発明による電磁石は、とりわけ好ましくは、以下に記述する本発明の方法によって製造することができる。とりわけ方法の実施と関連するさらなる利点についても、同様に以下で言及する。
【００１４】
好ましくは、ポジティブ結合が、アンカーおよび／またはアンカーロッド内に配置された少なくとも１つの切欠部によって形成され、この切欠部は、アンカーロッドないしアンカーのかしめ隆起部を収容する。これにより安定した遊びの無い接続が可能になる。
【００１５】
好ましくは、アンカーロッドまたはアンカーが、溝、とりわけ周囲溝を切欠部として有し、この溝は、アンカーまたはアンカーロッドに、とりわけかしめる際に形成されるかしめ隆起部と係合する。これにより、アンカーとアンカーロッドとの間の接続をさらに改善することができる。
【００１６】
好ましくは、電磁石が、ヨークに隣接する磁気コアを有し、このヨークはアンカー室を少なくとも部分的に取り囲む。これにより、巻線によるアンカーの操作のための磁束線を有利に案内することができる。
【００１７】
さらに好ましくは、電磁石が、アンカー室を少なくとも部分的に取り囲む巻線を有する。これによりアンカーは、公知のように電気的に操作することができる。
【００１８】
好ましい実施形態によれば、ヨークには、アンカー孔部の第１の端部に対向する第２の端部において凹部が形成されており、この凹部にディスクを埋設することができる。これにより、ディスクの有利な埋め込みが可能になり、さらに液圧的減衰を、ディスクに通常備わっている媒体、例えば制御すべき油圧オイルによって行うことができる。
【００１９】
好ましくは、凹部が内径を有し、ディスクは外径を有する。この内径と外径の比は、さらに好ましくは、ディスクの運動の際に液圧的減衰が生じるように構成されている。このことは電磁石の稼働に対して有利であることが判明した。
【００２０】
好ましくは、直径比が４１６．７／１７．０である。したがって、特に好ましくは、外径が４１６．７ｍｍの寸法を有し、内径が同様に好ましくは１７ｍｍの寸法を有する。これらの値の周辺のそれぞれの値領域も好ましいことが理解される。例えば、外径は好ましくは４００ｍｍから４３０ｍｍの間であってよく、内径は好ましくは１５ｍｍから１９ｍｍの間であってよい。
【００２１】
ディスクの沈込み深さは、好ましくは、ストローク端部の前方で０．５ｍｍから０．９ｍｍの間であり、とりわけ好ましくは０．７ｍｍである。沈込み深さは、所望の減衰、温度および使用される媒体などのパラメータに依存して選択することができ、これにより電磁石の特性を最適化できることが理解される。
【００２２】
本発明はさらに、本発明の電磁石を有する電磁弁にも関する。ここで、好ましくはディスクとアンカーロッドの第２の長手端部との間に、バネ密閉エレメントがアンカーロッド上に取り付けられている。このバネ密閉エレメントはアンカーロッドによって共に動かされ、ヨーク内に形成された電磁弁の出口開口部を閉鎖および解放することができる。このようなバネ密閉エレメントは、有利には開口部の閉鎖に用いることができる。
【００２３】
本発明の電磁弁により、本発明の電磁石に関連して上述した利点を電磁弁のために利用することができる。電磁石に関しては、説明した全ての実施形態および変形例を用いることができる。説明した利点が相応に当てはまる。
【００２４】
特に好ましくは、このバネ密閉エレメントが、蛇行バネとして構成されており、この蛇行バネは、その半径方向外側領域に、出口開口部と相互作用するシール部分を有する。ここで蛇行バネは、有利には出口開口部を閉鎖するために規定の圧力を及ぼすことができる。
【００２５】
さらに好ましくは、電磁弁の閉鎖位置においてシール部分が出口開口部を閉鎖し、バネ密閉エレメントが、とりわけアンカー室の方向に荷重を加えられる。これにより、規定の予荷重により出口開口部の閉鎖が可能になる。
【００２６】
本発明はさらに電磁石の製造方法にも関し、この電磁石は、第１の端部においてアンカー室に合流する貫通したアンカー孔部を備えるヨークを有し、この電磁石はさらに、第１の長手端部および第２の長手端部を備えるアンカーロッドを有し、このアンカーロッドは、第２の長手端部に向いた領域にディスクを支持する。ここでアンカーロッドの第１の長手端部が、第１の端部に対向する第２の端部においてアンカー孔部の中へ、アンカーロッドの第１の長手端部がアンカー室に入るまで挿入され、次にアンカーがアンカーロッドの第１の長手端部に取り付けられ、アンカーとかしめられる。
【００２７】
この方法により、とりわけ、上記実施形態の少なくとも１つによる本発明の電磁石の有利な製造が可能である。上にすでに述べた利点が相応に当てはまる。
【００２８】
本発明の方法によりさらに、アンカーロッドと蛇行バネ、詳細には密閉エレメントとから成るロッド構成群をあらかじめ組み立て、例えばロッド／蛇行バネの軸方向の振れの偏心度を検査することができる。アンカーは、クリアランス無しでロッドに接続することができる。標準的かしめ工程を使用することができ、その際に従来技術による方法ではしばしば必要な紛失防止の固定器具を省略することができる。強固なかしめによって、接続を不当に操作することはできず、意図しない調整または調節も不可能である。
【００２９】
好ましい実施形態によれば、アンカーロッドは、かしめの前に組み立て装置上に装着されるため、アンカーロッドの第２の長手端部が組み立て装置上に載置され、アンカー孔部からの脱落に対して保護される。このような組み立て装置を使用することにより、プロセスの実施が有利になる。なぜなら、例えば作用する力を吸収することができるからである。
【００３０】
特に好ましくは、かしめ中にアンカーロッドが吸収しなければならない最大のすべき力が、組み立て装置のバネによって制限される。このことは、アンカーロッドの損傷を回避する。
【００３１】
さらに好ましくは、かしめが液圧式プレス機により操作されるかしめピストンを使用して実施される。これは実証済みのプロセスに相当する。
【００３２】
特に有利には、本方法が本発明による電磁石の製造に適用される。ここでは上に説明した電磁石の全ての実施形態および変形例を用いることができる。説明した利点が相応に当てはまる。
【００３３】
この関連で、電磁石に関して説明した全ての特徴および特性、しかしまた手順についても、本発明の方法の文言に関して同じように転用することができ、本発明の課題を達成するように使用することができ、共に開示されていることを述べておく。反対も同様のことが当てはまる。すなわち、方法に関連してだけ述べた構造的な、すなわち装置に応じた特徴も、装置請求の範囲の枠内で考慮することができ、請求することができ、同様に開示範囲に含まれる。
【００３４】
本発明はさらに、本発明の方法で使用するための組み立て装置にも関し、この組み立て装置は圧縮バネを有し、この圧縮バネは、アンカーロッドを押圧し、かしめ中にアンカーロッドに及ぼされる力を制限する。これにより、アンカーロッドを、本発明の方法の実施中に有利な形で保持することができ、損傷に対して保護することができる。
【００３５】
好ましくは、組み立て装置がさらに、バネを取り囲むブロックを有し、このブロック上には、本方法の実施中に、電磁弁の部材、詳細にはヨークを載置することができる。これにより、本方法の実施中にヨークを有利に保持することが可能になる。また、かしめ力も有利に導くことができる。
【００３６】
さらに好ましくは、バネの上に、アンカーロッドに接触するためのサポートエレメントが配置されている。これによりアンカーロッドの特に適切な保持が可能になる。
【００３７】
図面には、本発明がとりわけ実施例において概略的に示されている。
【図面の簡単な説明】
【００３８】
【図１】電磁石を示す図である。
【図２】図１の電磁石の製造方法における工程を示す図である。
【図３】図１の電磁石の製造方法における工程を示す図である。
【図４ａ】図１の電磁石の製造方法における工程を示す図である。
【図４ｂ】図１の電磁石の製造方法における工程を示す図である。
【図５ａ】図１の電磁石の製造方法における工程を示す図である。
【図５ｂ】図１の電磁石の製造方法における工程を示す図である。
【発明を実施するための形態】
【００３９】
図面中、同じエレメントまたは互いに対応するエレメントにはそれぞれ同じ参照符号が付してあり、したがって合目的的でない限り、再度説明しない。明細書全体に含まれる開示内容は、意味的に、同じ参照符号ないし同じ構成部材符号を備える同じ部材に転用することができる。明細書中で選択された位置に関する記載、例えば上方、下方、側方等は直接的に記載され並びに図示された図面を基準にするものであり、位置が変化すれば、意味的に新たな位置に転用すべきである。さらに、図示され説明された種々の実施例の個別の特徴または特徴の組み合わせは、それ自体独立の、本発明のまたは本発明による解決手段である。
【００４０】
図１は、本発明の実施例による電磁石１０５を示す。この電磁石１０５は電磁弁１００の構成部材である。
【００４１】
電磁石１０５はヨーク１１０を有し、このヨーク内ないしヨークには後で説明する別のコンポーネントが配置されている。電磁石１０５は、ヨーク１１０に隣接する磁気コア１２０を有し、このヨークはアンカー室１１７を少なくとも部分的に取り囲む。
【００４２】
ヨーク１１０内にはアンカー孔部１１５とアンカー室１１７が形成されている。アンカー室１１７の上方は磁気コア１２０によって閉鎖されている。アンカー室１１７内にはアンカー１４０が配置されており、このアンカーは、後でさらに詳細に説明するようにアンカーロッド１５０と接続されている。アンカーロッド１５０は、アンカー孔部１１５を通って下方に向かって延在している。
【００４３】
磁気コア１２０とアンカー１４０との間には圧縮バネ１２５が配置されており、この圧縮バネはアンカーを磁気コア１２０から離れるよう押圧する。アンカー室１１７の側方に巻線１３０が配置されており、この巻線はコイルシェル／コイル体１３５により取り囲まれている、ないし支持されている。巻線１３０を通して直流を印加することにより、アンカー１４０に磁力を及ぼすことができ、この磁力は圧縮バネ１２５によって及ぼされた力とは反対に作用する。これによりアンカー１４０をアンカーロッド１５０と共に、巻線１３０を流れる直流のスイッチオンおよびスイッチオフによって上昇および下降運動させることができる。
【００４４】
アンカー１４０の反対側にあるアンカーロッド１５０の端部に隣接して、アンカーロッド１５０はディスク１５２を有し、このディスクは半径方向で外側に突き出ている。ディスク１５２は凹部１１９内に包含されており、この凹部はヨーク１１０内に形成されている。
【００４５】
図１に示した状態では、アンカー１４０、アンカーロッド１５０およびディスク１５２が共通の上方位置に配置されている。この位置には、巻線１３０により調達される磁力によって、圧縮バネ１５２の力に抗して到達する。巻線１３０を流れる直流をスイッチオフすると、アンカー１４０、アンカーロッド１５０およびディスク１５２は一緒に共通の下方位置へ移動することが理解される。
【００４６】
アンカーロッド１５０の下方端部にはかしめリング１６０が配置されており、このかしめリングはアンカーロッド１５０とかしめられている。したがってかしめリング１６０はアンカーロッド１５０と強固に接続されている。
【００４７】
リング１５２とかしめリング１６０との間にはバネ密閉エレメント２００が配置されている。ここでこのバネ密閉エレメント２００は、リング１５２およびかしめリング１６０によってそれぞれ直接的に接続されるため、リング１５２とかしめリング１６０との間でバネ密閉エレメントは強固に締め付けられている。したがってバネ密閉エレメントは、上記の運動により上方位置と下方位置との間で共に運動する。言い替えると、バネ密閉エレメント２００も、巻線１３０によって制御されて上昇および下降運動することができる。
【００４８】
ヨーク１１０内にはさらに２つの管路１１２と弁室１１６が形成されている。弁室１１６は２つの出口開口部を有し、これらの出口開口部から管路１１２が始まる。弁室１１６はさらに１つの入口１１８を有し、この入口を通って制御すべき媒体が弁室１１６に流入することができる。
【００４９】
図１から分かるように、バネ密閉エレメント２００は、図示の上方状態では２つの出口開口部１１４を閉鎖する。したがってこの状態では、入口１１８を通って弁室１１６に流入した媒体は管路１１２に流入できない。これに対して、アンカー１４０、アンカーロッド１５０、ディスク１５２、かしめリング１６０およびバネ密閉エレメント２００から成る結合体が図示しない下方位置にある場合、出口開口部１１４はバネ密閉エレメント２００から解放される。これにより入口１１８を通って弁室１１６に流入する媒体は、出口開口部１１４を通って管路１１２に流入することができる。これにより媒体の流れを、電磁弁の典型的な機能に該当するよう制御することができる。媒体は典型的には油圧オイルである。ここでバネ密閉エレメントは、図１に図示されている上方位置では、閉鎖のためのある程度の予荷重によって出口開口部１１４に当接している。
【００５０】
ディスク１５２が凹部１１９に収容される特殊な構成により、アンカーロッド１５０および結合されたコンポーネントの運動の液圧的減衰が可能である。そのために媒体が用いられ、この媒体は弁室１１６から出て上方にも流れ、これによりディスク１５２のヨーク１１０への衝突を減衰する。
【００５１】
アンカー１４０を確実にアンカーロッド１５０と接続するために、アンカー１４０はかしめ隆起部１４４を有し、アンカーロッドは溝１５４を有する。そしてかしめ隆起部１４４は溝１５４に係合する。以下、さらなる図面を参照して、この接続が本発明の方法の実施例によってどのように形成されるかを詳細に説明する。ここで個々の図２から５はそれぞれ、このような方法の実施中の一状態を示す。
【００５２】
図２には、ヨーク１１０、アンカー１４０およびアンカーロッド１５０がまだ完全に互いに分離されている状態が示されている。ここでアンカーロッド１５０は、本発明の組み立て装置の実施例にしたがって構成された組み立て装置３００に収容されており、この組み立て装置については次で詳細に説明する。
【００５３】
組み立て装置３００はブロック３１０を有し、このブロックは組み立て装置３００の大部分を占め、安定化を行う。ブロック３１０内にチャンバ３１４が形成されており、このチャンバは組み立て装置３００の上側に向かって開放している。組み立て装置３００の上側にはさらに、チャンバ３１４を側方に拡張する凹部３１２が配置されている。
【００５４】
チャンバ３１４内には下方にバネ３２０が配置されている。このバネは圧縮バネとして構成されており、したがってこのバネは、下方に向けられた圧力に対し上方に向けられた圧力によって対抗作用する。バネ３２０の上方ではチャンバ３１４内にサポートエレメント３２５が配置されており、このサポートエレメントは、アンカーロッド１５０を収容するように構成されている。図示のように図２に示した状態では、かしめリング１６０およびバネ密閉エレメント２００がすでにアンカーロッド１５０と接続されている。そのために必要なプロセスは、図２に示した状態が本発明の方法によって開始される前に実施されている。したがって同様にかしめリング１６０およびバネ密閉エレメント２００は、サポートエレメント３２５によって保持される。
【００５５】
図２に示した状態から出発して、先ずヨーク１１０がアンカーロッド１５０に上方から装着される。その際にアンカーロッド１５０は、ヨーク１１０のアンカー孔部１１５内に収容される。したがってヨーク１１０は、凹部３１２内でブロック３１０上に載置される。これにより図３に示した状態が得られる。
【００５６】
続いてアンカー１４０が上方からアンカーロッド１５０に装着される。アンカー１４０をアンカーロッド１５０とかしめられるようにするため、さらにかしめピストン１７０が、図４に示すように装着される。かしめピストン１７０は、上方からアンカー１４０に当接し、下方に向けられた力をアンカー１４０に及ぼす。この力は、ここでは液圧式かしめ機によって形成される。ここでアンカーロッド１５０に最大で及ぼされる力はバネ３２０によって制限される。なぜなら、バネはある程度の力から変形し、アンカーロッド１５０が保持されるサポートエレメント３２５は下方に移動すると考えられるからである。これにより、かしめ工程中のコンポーネントの損傷を効果的に阻止することができる。
【００５７】
かしめ工程により、アンカー１４０のかしめ隆起部１４４がアンカーロッド１５０の溝１５４と係合する。これにより、図４ａおよび図４ｂにさらに詳細に示した状態が得られる。この状態ではアンカー１４０をアンカーロッド１５０から取り除くためには、格別の力を掛けなければ不可能である。
【００５８】
図５ａは、かしめピストン１７０を取り除いた後の状態を示す。この状態から出発して、例えば巻線１３０または磁気コア１４０のようなさらなるコンポーネントを取り付けることができる。
【００５９】
さらに図５ｂの詳細図から、アンカー１４０とアンカーロッド１５０がかしめ隆起部１４４と溝１５４だけによって接続されているのではなく、さらなるかしめ隆起部１４６とさらなる溝１５６によっても接続されていることが分かる。これらはそれぞれかしめ隆起部１４４と溝１５４の下方に配置されており、上で説明したかしめ工程の際に、接続を改善するために互いに係合される。
【００６０】
本明細書および後に提出される特許請求の範囲により、将来的な保護を獲得が損なわれることはない。
【００６１】
詳細な審査において、とりわけ関連する従来技術においても、１つまたは別の特徴が本発明の目的に対して有利ではあるが決定的に重要ではないことが判明する場合、もちろんすでに現在において、とりわけ主請求項にこのような特徴をもはや有しない文言が務められる。このような下位の組み合わせであっても、本出願の開示内容により網羅される。
【００６２】
さらに、種々の実施形態に記載され図面に示された本発明の構成および変形は互いに任意に組み合わせることができることにも注意すべきである。その際に個別のまたは複数の特徴は互いに任意に交換することができる。これらの特徴の組み合わせも同様に共に開示されている。
【００６３】
従属請求項に記載された引用関係は、それぞれの従属請求項の特徴による主請求項の対象のさらなる構成を示唆する。しかしながらこれらは、引用された従属請求項の特徴に対する独立的具体的保護の達成の放棄と理解すべきではない。
【００６４】
明細書にだけ開示された特徴、または複数の特徴を含む特許請求の範囲からの個別の特徴であっても、従来技術からの画定のための本発明の本質的意義として、１つまたは複数の独立請求項に取り込むことができる。すなわち、このような特徴が他の特徴との関連で述べられた場合であっても、ないし他の特徴との関連で特に有利な結果を達成する場合であっても取り込むことができる。
【図１】
0006654366.tif 000002
【図２】
0006654366.tif 000003
【図３】
0006654366.tif 000004
【図４ａ】
0006654366.tif 000005
【図４ｂ】
0006654366.tif 000006
【図５ａ】
0006654366.tif 000007
【図５ｂ】
0006654366.tif 000008